(57)【特許請求の範囲】
【請求項１】
同一ジャンルの動画内容としてランダムにつなぎ合わせることができるよう編集された２種類以上の動画情報から成る所定時間単位で構成されたチャプターを複数記憶する複数個の記憶媒体と、
前記記憶媒体から動画情報をチャプター単位で読み出す複数台の記憶媒体読出装置と、を備える動画再生装置であって、
前記記憶媒体読出装置による前記記憶媒体の読み出し中のエラーを検出するエラー検出手段と、
前記記憶媒体の読み出し中にエラーが発生したチャプターの読み出しを禁止して当該チャプターの動画内容を使用することを止め、この読み出しを禁止した不良チャプターを記憶する不良チャプター記憶手段と、
各記憶媒体毎に読み出しが禁止された不良チャプターの数を計数し、この数が予め設定された数を越えたときに、当該記憶媒体の読み出しを禁止する不良記憶媒体記憶手段とを備え、
前記不良チャプター記憶手段と前記不良記憶媒体記憶手段とが、電源の供給を受けなくとも記憶内容を保持し得ることを特徴とする動画再生装置。
【請求項２】
前記記憶媒体が交換される際に、前記不良チャプター記憶手段と前記不良記憶媒体記憶手段との記憶内容が消去されるよう構成されていることを特徴とする請求項１の動画再生装置。
【請求項３】
前記エラー検出手段が、エラーの原因を記憶媒体側にあるか記憶媒体読出装置側にあるかを決定し、エラーの原因が記憶媒体読出装置側にあると決定した場合に、当該記憶媒体読出装置による読み出しを禁止し、
該読み出しの禁止された記憶媒体読出装置を記憶する不良記憶媒体読出装置記憶手段を備えることを特徴とする請求項１の動画再生装置。
【請求項４】
前記不良記憶媒体読出装置記憶手段が、電源の供給を受けなくとも記憶内容を保持し得ることを特徴とする請求項３の動画再生装置。
【発明の詳細な説明】
【０００１】
【産業上の利用分野】
本発明は、歌詞表示の背景に再生動画を使用し、伴奏音楽に合わせて歌唱して楽しむことが可能な動画再生装置に関するものである。
【０００２】
【従来の技術】
従来、所謂カラオケ用の動画再生装置においては、曲毎に映像データと歌詞の内容及び演奏データとを記憶したビデオディスク等を再生していたが、営業用などでは装置１台当たり数千曲ものデータが必要となるため、コンパクト化が望まれている。このコンパク化のために、曲データとは別個に映像データを記憶させておき、曲の演奏時に背景画として表示する方式のものがある。この背景画となる映像データは、ビデオディスクに収められていることが多く、例えば、１枚のビデオディスクに映像データが２時間分入るとすると、演歌のための映像データが１時間、ポップスの為の映像データが１時間という具合に２種類の映像データが収められているのが一般的である。そして、演奏曲を予め演歌かポップスかを識別するジャンル情報を曲データ側に含ませておき、リクエストされた曲が演歌かポップスかをこのジャンル情報に基づき識別し、演奏曲のジャンルに合わせた背景画を表示するようにしている。
【０００３】
【発明が解決しようとする課題】
上記曲データとは別個に映像データを記憶させておく方式は、背景画の再生のために保持しておくデータ量が少なくて済む反面、背景画が単調になる傾向があった。この問題を解決するため、本出願人は、演奏曲のジャンル毎に背景画を所定時間単位で複数用意し、この所定時間単位の背景画を、ランダムにつなぎ合わせて背景画とすることを案出した。ここで更に、所定時間単位の背景画をＭＰＥＧ規格でデータ圧縮してＣＤ−ＲＯＭディスクに保持することを一態様として提案している。
【０００４】
ここで、ＭＰＥＧ規格等を用いてデータ圧縮して映像データを保持する場合には、データのビット飛びがあると以降の映像が再生できないという課題がある。特に、カラオケ装置は、煙草の煙等の粉塵の多い環境で使用され、また、営業用のＣＤ−ＲＯＭディスクは、長いものでは１年以上ＣＤ−ＲＯＭドライバに装填されたまま画像を再生することがあり、このような環境下で用いられると傷が付き易く、一度傷が付くとビット飛びを起こし、上述した所定時間単位の背景画が再生できなくなり、カラオケ演奏中に背景画が消えるという事態を生ぜしめていた。
【０００５】
本発明は、上述した課題を解決するためになされたものであり、その目的とするところは、画像記憶媒体に傷が生じても、カラオケ演奏中に背景画が消えることを極力少なくした動画再生装置を提供することにある。
【０００６】
【課題を解決するための手段】
上記の目的を達成するため、請求項１の動画再生装置においては、同一ジャンルの動画内容としてランダムにつなぎ合わせることができるよう編集された２種類以上の動画情報から成る所定時間単位で構成されたチャプターを複数記憶する複数個の記憶媒体と、
前記記憶媒体から動画情報をチャプター単位で読み出す複数台の記憶媒体読出装置と、を備える動画再生装置であって、
前記記憶媒体読出装置による前記記憶媒体の読み出し中のエラーを検出するエラー検出手段と、
前記記憶媒体の読み出し中にエラーが発生したチャプターの読み出しを禁止して当該チャプターの動画内容を使用することを止め、この読み出しを禁止した不良チャプターを記憶する不良チャプター記憶手段と、
各記憶媒体毎に読み出しが禁止された不良チャプターの数を計数し、この数が予め設定された数を越えたときに、当該記憶媒体の読み出しを禁止する不良記憶媒体記憶手段とを備え、
前記不良チャプター記憶手段と前記不良記憶媒体記憶手段とが、電源の供給を受けなくとも記憶内容を保持し得ることを要旨とする。
【０００７】
また、請求項２の動画再生装置では、請求項１において、前記記憶媒体が交換される際に、前記不良チャプター記憶手段と前記不良記憶媒体記憶手段との記憶内容が消去されるよう構成されていることを要旨とする。
【０００８】
また、請求項３の動画再生装置では、請求項２において、前記エラー検出手段が、エラーの原因を記憶媒体側にあるか記憶媒体読出装置側にあるかを決定し、エラーの原因が記憶媒体読出装置側にあると決定した場合に、当該記憶媒体読出装置による読み出しを禁止し、
該読み出しの禁止された記憶媒体読出装置を記憶する不良記憶媒体読出装置記憶手段を備えることを要旨とする。
【０００９】
また、請求項４の動画再生装置では、請求項３において、前記不良記憶媒体読出装置記憶手段が、電源の供給を受けなくとも記憶内容を保持し得ることを要旨とする。
【００１０】
【作用】
上記のように構成された請求項１の動画再生装置によれば、エラー検出手段が記憶媒体読出装置による記憶媒体の読み出し中のエラーを検出し、不良チャプター記憶手段が記憶媒体の読み出し中にエラーが発生したチャプターの読み出しを禁止し、この読み出しを禁止した不良チャプターを記憶する。そして、不良記憶媒体記憶手段が、記憶媒体毎に読み出しを禁止した不良チャプターの数を加算し、この数が予め設定された数を越えたときに、当該記憶媒体の読み出しを禁止する。このため、不良チャプターが所定数よりも多い記憶媒体は読み出しが行われない。ここで、該動画再生装置の電源が断とされても、不良チャプター記憶手段と不良記憶媒体記憶手段とが、電源の供給を受けなくとも不良チャプターと不良記憶媒体記とを保持し得るため、電源が入れ直された際に、この不良チャプター或いは不良記憶媒体によってエラーが再度発生することがなくなる。
【００１１】
また、請求項２の動画再生装置によれば、記憶媒体が交換される際に、不良チャプター記憶手段と不良記憶媒体記憶手段との記憶内容が自動的に消去されるため、交換前の記憶媒体のエラーに関する情報（即ち、不良チャプター及び不良記憶媒体）をクリアする必要がない。
【００１２】
また、請求項３の動画再生装置によれば、エラー検出手段が、エラーの原因を記憶媒体側にあるか記憶媒体読出装置側にあるかを決定し、エラーの原因が記憶媒体読出装置側にあると決定した場合に、当該記憶媒体読出装置による読み出しを禁止する。そして、不良記憶媒体読出装置記憶手段が、該読み出しの禁止された記憶媒体読出装置を記憶する。即ち、故障の発生した記憶媒体読出装置で読み出しを行わないため、当該記憶媒体読出装置によりエラーの発生することが以降なくなる。
【００１３】
上記のように構成された請求項４の動画再生装置によれば、不良記憶媒体読出装置記憶手段が電源の供給を受けなくとも記憶内容を保持し得るため、動画再生装置の電源が断とされていても、故障の発生した記憶媒体読出装置を識別し得る。従って、電源が入れ直された際に、この故障の発生した記憶媒体読出装置によってエラーが再度発生することがなくなる。
【００１４】
【実施例】
以下、本発明を具体化した実施例について図を参照して説明する。
図１は、本発明の動画再生装置を具現化したカラオケ装置の構成を示すブロック図である。図に示すとおり該カラオケ装置は、コマンダ（カラオケ演奏装置）１０、ディスクプレーヤ（カラオケ用背景動画装置）３０、アンプミキサ６２、マイク６６、モニタテレビ６０、スピーカ６４を備えて成る。
【００１５】
このカラオケ装置にて、利用者は、コマンダ１０を操作することで歌いたい曲を選択する。コマンダ１０には、曲データとして歌詞データ、演奏データ及び後述するジャンルデータが格納されており、曲が選択されると、コマンダ１０はこれら歌詞データおよび演奏データを同期させて出力する。そして、曲を選択した利用者は、モニタテレビ６０に映し出された歌詞を参照しながら演奏に合わせて歌を歌うことになる。
【００１６】
コマンダ１０から出力される演奏データは、アナログの演奏信号に変換された後、アンプミキサ６２へ送られて電気的に増幅されるとともに、マイク６６を介して入力される利用者の歌声と適当な割合でミキシングされる。ミキシングされた音声信号は、スピーカ６４によって演奏音として外部へ出力される。
【００１７】
一方、演奏データと同期してコマンダ１０により出力される歌詞データは、ディスクプレーヤ３０から送られるＮＴＳＣ信号と合成（スーパーインポーズ）されモニタテレビ６０に表示される。ディスクプレーヤ３０から送られるＮＴＳＣ映像信号は、ディスクプレーヤ３０によりＣＤ−ＲＯＭディスクを再生することで生成される。このＮＴＳＣ映像信号は、利用者が歌詞を参照しながら歌う際にモニタテレビ６０の背景画となるものであり、演奏曲のジャンルに合わせてジャンル分けして構成されている。
【００１８】
ここで、コマンダ１０の構成について説明する。コマンダ１０は、コントローラ１２と、操作パネル１４と、シリアル入出回路（ＳＩ０）１６と、モデム１８と、ハードディスク２０と、ＭＩＤＩ音源２２と、ビデオミキサ２４とから主として成る。
【００１９】
コントローラ１２は、コマンダ１０を制御するためのマイクロコンピュータであって、利用者により曲が選択された時に、その曲のジャンルを識別してジャンルデータとしてディスクプレーヤ３０へ送信し、また、曲の演奏に対応させてハードディスク２０から曲データ（演奏データ及び歌詞データ）を読み出し、ＭＩＤＩ音源２２へ演奏データを、また、ビデオミキサ２４へ歌詞データを送る等の制御動作を行う。
【００２０】
操作パネル１４は、利用者が歌いたい曲を選択したり、演奏音の音程を調整したり、演奏と歌との音量バランスを調整したり、その他、エコー、音量、トーン等の各種調整を行うための装置である。この実施例のカラオケ装置には、リモコン１４ａが備えられ、利用者による曲の選択を遠隔操作によって行い得るようにしている。
【００２１】
シリアル入出回路（ＳＩＯ回路）１６は、シリアル通信回線１７を介して選択された曲のジャンルデータをディスクプレーヤ３０へ送信するためのインタフェイス回路である。本実施例では、ＲＳ２３２Ｃケーブルが用いられている。
【００２２】
モデム１８は、図示しないホストコンピュータ側から送られてくる曲データを受信し、反対に、どのような曲がリクエストされているかのデータ、及び、カラオケ装置側の状態（例えば、ＣＤ−ＲＯＭディスクの障害、ＣＤ−ＲＯＭドライブの故障）等をホストコンピュータ側へ送信する際に電話回線を利用するための変復調装置である。本実施例のカラオケ装置は、運用において、常に新しい曲を提供し得る状態を保つため、夜間に電話回線にて新曲のデータが、ホストコンピュータ側からモデム１８を介してコマンダ１０に送られる。そして、これをハードディスク２０に記憶させるよう構成されている。
【００２３】
ハードディスク２０は、曲データとして演奏データ、歌詞データ、及びジャンルデータを記憶するための記憶装置である。演奏データとしてはＭＩＤＩ（ミュージカル・インストゥルメント・ディジタル・インタフェイス）規格に基づいたデータが格納されている。
【００２４】
ＭＩＤＩ音源２２は、各種楽器の演奏音を格納しており、ハードディスク２０から送られる演奏データに基づき、楽器の演奏信号を生成する音源である。生成された楽器の演奏信号は、アンプミキサ６２に送られる。
【００２５】
ビデオミキサ２４は、ハードディスク２０から送られる歌詞データと、ディスクプレーヤ３０から送られるＮＴＳＣ映像信号とを合成する装置である。歌詞データは、音楽の演奏が出力されるのに同期して、歌詞を反転させながら利用者に該当する歌詞部分を指示する。
【００２６】
引き続き、図２を参照してディスクプレーヤ３０の構成について説明する。
ディスクプレーヤ３０は、コマンダ１０から送られる曲のジャンルデータに基づき、該当するジャンルの背景画をＮＴＳＣ映像信号としてコマンダ１０側へ送る装置である。該ディスクプレーヤ３０は、４枚のＣＤ−ＲＯＭディスク（図示せず）を４台のＣＤ−ＲＯＭドライバ４４ａ、４４ｂ、４４ｃ、４４ｄでそれぞれ再生することにより該ＮＴＳＣ映像信号を生成する。このＣＤ−ＲＯＭディスクは、１２ｃｍのＣＤ（コンパクトディスク）サイズのビデオディスクであり、映像データがＭＰＥＧ規格で圧縮され記憶されている。データ圧縮することにより、ＣＤサイズのディスク板一枚に、約１時間分の動画（背景画）が記憶されている。
【００２７】
なお、本実施例のカラオケ装置では、１枚のＣＤ−ＲＯＭディスクに、Ａ〜Ｅの５つのジャンルの動画が記憶されている。ここでは、カラオケ曲を演歌（Ａジャンル、Ｂジャンル）とポップス（Ｃジャンル、Ｄジャンル、Ｅジャンル）とに分けている。即ち、演歌で主に冬に対応する内容の動画をＡジャンルに、そして、演歌で冬以外の内容の動画をＢジャンルとして構成している。更に、ポップスを、アップテンポな曲に対応する内容の動画をＣジャンルとし、ポップスでアップテンポな曲以外に対応する内容の動画をＤジャンルとし、更に、童謡やアニメ等に対応する内容の動画をＥジャンルとして構成している。
【００２８】
さらに、この１枚のＣＤ−ＲＯＭディスクには、Ａ〜Ｅジャンルの動画が、１本の編集動画を３０秒として２４本の編集動画群として記憶されている。即ち、本実施例では、各ジャンルについて１２分の動画が保持されている。以降、この３０秒の各編集動画を再生用チャプターと呼ぶことにし、チャプター番号として、Ａジャンルに属する１番目をＡ−１とし、２４番目をＡ−２４として表す。なお、それぞれのジャンル内における２４本の動画は、特定のストーリ性を持たせないことにより、ランダムに繋ぎ合わせても違和感のないよう構成してある。
【００２９】
次に、このように構成されたＣＤ−ＲＯＭディスクを４枚保持して背景画を再生するディスクプレーヤ３０の構成について図２を参照して説明する。ディスクプレーヤ３０は、シリアル入出回路（ＳＩＯ）３２と、種々の制御を行うＣＰＵ３４と、該ＣＰＵ３４の実行命令等が保持されているＲＯＭ３６と、該ＣＰＵ３４の作業領域として用いられるＲＡＭ３８と、ＣＤ−ＲＯＭディスクの障害状態等を電源がオフされても保持し続けるＮＶＲＡＭ４０と、ＳＣＳＩバス制御部４２と、１枚のＣＤ−ＲＯＭディスクをそれぞれ駆動する４台のＣＤ−ＲＯＭドライブ４４ａ、４４ｂ、４４ｃ、４４ｄと、ビデオデコーダ４６と、ＮＴＳＣコンバータ４８とから主として成る。
【００３０】
ＳＣＳＩバス制御部４２は、各ＣＤ−ＲＯＭドライブ４４ａ、４４ｂ、４４ｃ、４４ｄに対してＣＤ−ＲＯＭディスク中の画像データの読み取り命令を発する。そして、各ＣＤ−ＲＯＭドライブ４４ａ〜４４ｄから送られた映像データを一旦ＲＡＭ３８に格納し、映像信号の出力にあわせてビデオデコーダ４６へ送る。本実施例では、後述するように４台のＣＤ−ＲＯＭドライブ４４ａ、４４ｂ、４４ｃ、４４ｄの内の２台から動画データを読み出すように構成されている。
【００３１】
ビデオデコーダ４６は、ＣＤ−ＲＯＭドライブ４４ａ、４４ｂ、４４ｃ、４４ｄから読み出される動画データ（圧縮されたデェジタルデータ）を映像信号に復号する電気回路である。
【００３２】
ＮＴＳＣコンバータ４８は、ビデオデコーダ４６により復号化された映像信号を商用カラーテレビ（ＮＴＳＣ）信号に変換する電気回路である。該ＮＴＳＣコンバータ４８より変換されたＮＴＳＣ信号は、上述したコマンダ１０のビデオミキサ２４へ送られる。
【００３３】
図３及び図４は、本実施例に係るディスクプレーヤ３０の外観を示している。  図３に示すように、ディスクプレーヤ３０の前面には、フロントパネル用ネジ１０４、１０４にてねじ止めされたフロントパネル１０２が開閉可能に取り付けられている。このフロントパネル１０２のほぼ中央位置には、電源が投入されてから電源が切られるまで点灯する電源ＬＥＤ１０６と、映像の再生中に点灯する再生ＬＥＤ１０８とが設けられている。
【００３４】
フロントパネル用ネジ１０４、１０４を緩めてフロントパネル１０２を開けた状態を図４に示す。このフロントパネル１０２の内側には、図２を参照して前述した４台のＣＤ−ＲＯＭドライブ４４ａ、４４ｂ、４４ｃ、４４ｄが配置されている。それぞれのＣＤ−ＲＯＭドライブ４４ａ〜４４ｄには、トレイ引出しボタン１１２が設けられており、該トレイ引出しボタン１１２が押されると、ＣＤ−ＲＯＭディスクを載置したトレイ１１０を前方へせり出し、これにより、ＣＤ−ＲＯＭディスクの交換を行い得るようにする。
【００３５】
また、フロントパネル１０２の裏面には、それぞれのＣＤ−ＲＯＭドライブ４４ａ〜４４ｄに装填されているＣＤ−ＲＯＭディスクの不良及びＣＤ−ＲＯＭドライブ４４ａ〜４４ｄ自身の故障を表すエラー表示ＬＥＤ１１４ａ〜１１４ｄが配置されている。このディスクプレーヤ３０は、フロントパネル１０２が開かれた状態では、映像の再生ができないようになっている。なお、本実施例のディスクプレーヤ３０は、フロントパネル１０２が開かれた際に、ＣＤ−ＲＯＭディスクの障害に関する情報を初期化するように構成されている。
【００３６】
このようにフロントパネル１０２の開放に連動して障害に関する情報を初期化させるのは、当該ディスクプレーヤ３０が営業用のカラオケ装置に主として用いられるものであるため、数月から数年に渡って４枚のＣＤ−ＲＯＭディスクの交換を受けることなく映像の再生を続けている。そして、フロントパネル１０２が開かれるのは、４枚全てのＣＤ−ＲＯＭディスクが一括して新しいものに代えられるときであるため、以前のＣＤ−ＲＯＭディスクに関する障害情報を自動的に初期化するようにしたのである。
【００３７】
引き続き、本実施例のカラオケ装置におけるカラオケ演奏時のコマンダ（カラオケ演奏装置）１０とディスクプレーヤ（カラオケ用背景動画装置）との間の信号のやり取りについて図５を参照して説明する。
まず、コマンダ１０側で、利用者が歌いたい曲を選択する（Ｓ１）。これに応じて、コマンダ１０は、選択された演奏曲を準備し（Ｓ２）、そして、ジャンルデータを送ることにより、演奏曲により特定されるジャンルの背景画をディスクプレーヤ３０側に要求する（映像再生要求：Ｓ３）。ディスクプレーヤ３０側では、この映像再生要求に対して後述するように映像再生を開始し（Ｓ４）、その映像をコマンダ１０側へ送信する（Ｓ５）。他方、コマンダ１０は、所定のタイミングでカラオケの演奏を開始すると共に（Ｓ６）、ディスクプレーヤ３０側から送られた映像をモニタテレビ６０へ背景画用に出力する（Ｓ７）。コマンダ１０は、曲の演奏が終了すると（Ｓ８）、ディスクプレーヤ３０側に映像停止要求を送る（Ｓ９）。これに応じて、ディスクプレーヤ３０は、映像の再生を停止する（Ｓ１０）。
【００３８】
次に、ディスクプレーヤ３０における動画再生の処理について、図６、図７、図８、図９を参照して説明する。
図６は、該ディスクプレーヤ３０のＣＰＵ３４による処理のメインルーチンを示している。先ず、ＣＰＵ３４は、電源が投入されると（Ｓ６０がＹｅｓ）、初期設定を行い電源がオフされる以前の状態を把握する（Ｓ６１）。当該初期設定における処理について、このサブルーチンを示す図７のフローチャートを参照して説明する。先ず、ＣＰＵ３４は、図２に示すＣＤ−ＲＯＭドライブ４４ａ、４４ｂ、４４ｃ、４４ｄに装填されている不良ＣＤ−ＲＯＭディスクを示す不良ＣＤ−ＲＯＭフラグと、また、障害の発生しているＣＤ−ＲＯＭドライブ４４ａ、４４ｂ、４４ｃ、４４ｄを示す不良ドライブフラグとのリストをＮＶＲＡＭ４０から読み出す（Ｓ７１）。
【００３９】
引き続き、ＣＰＵ３４は、上記ステップ７１にて不良とされていない、ＣＤ−ＲＯＭディスク及び不良とされていないＣＤ−ＲＯＭドライブに装填されているＣＤ−ＲＯＭディスクから、映像データを検索する（Ｓ７２）。そして、この検索した映像データからそれぞれのＣＤ−ＲＯＭディスクに記憶されている映像データのリストをジャンル毎に作成する（Ｓ７３）。即ち、図８（Ａ）に示すように映像データ内に含まれるＡジャンルに属する前述した再生用チャプターの番号をテーブル（後述するランダム数値Ｒと再生用チャプター番号との対応テーブル）にする。なお、図中にはＡジャンルのテーブルのみ示すが、同様にしてＢジャンル、Ｃジャンル、Ｄジャンル、Ｅジャンルの各テーブルを作成する。
【００４０】
その後、ＣＰＵ３４は、ＮＶＲＡＭ４０に保持されている各ＣＤ−ＲＯＭディスク毎の不良データのリストを読み込む（Ｓ７４）。そして、当該リストにある映像データのアドレスに対応する再生用チャプターを上記ステップ７３で作成したテーブルから消去する（Ｓ７５）。例えば、不良データのリストにあるアドレスが、図８（Ａ）に示す再生用チャプター番号Ａ−２に相当している場合には、図８（Ｂ）に示すように該Ａジャンル用テーブルから再生用チャプター番号Ａ−２を消去する。以上の処理により初期化処理が完了する。この処理は、例えば、カラオケ店の営業終了によりカラオケ装置（ディスクプレーヤ３０）の電源がオフにされた後、翌日の開店時に再び電源がオンにされたとき行われ、電源がオフされる以前におけるＣＤ−ＲＯＭディスク、ＣＤ−ＲＯＭドライブの障害状態をＣＰＵ３４が把握し、再度この障害によって映像を再生する上でエラーが発生しないようにする。
【００４１】
メインルーチン処理を示す図６に戻り、ＣＰＵ３４は、フロントパネル１０２（図４参照）が開けられたを判断する（Ｓ６２）。ここで、フロントパネル１０２が開けられていない場合には（Ｓ６２がＮｏ）、ステップ６５へ移行する。他方、フロントパネル１０２が開けられたときには（Ｓ６２がＹｅｓ）、各ＣＤ−ＲＯＭディスク毎の不良チャプター数を表す不良チャプター変数Ｎを０にクリアすると共に、各ＣＤ−ＲＯＭディスク毎の不良データのリストをクリアする（Ｓ６３）。以降、ＣＤ−ＲＯＭドライブ４４ａに装填されているＣＤ−ＲＯＭディスクをＣＤ−ＲＯＭ−Ａとし、このＣＤ−ＲＯＭ−Ａの不良チャプター変数をＮａとする。同様に、ＣＤ−ＲＯＭドライブ４４ｂに装填されているＣＤ−ＲＯＭディスクをＣＤ−ＲＯＭ−Ｂとし、この不良チャプター変数をＮｂに、ＣＤ−ＲＯＭドライブ４４ｃに装填されているＣＤ−ＲＯＭディスクをＣＤ−ＲＯＭ−Ｃとし、この不良チャプター変数をＮｃに、ＣＤ−ＲＯＭドライブ４４ｄに装填されているＣＤ−ＲＯＭディスクをＣＤ−ＲＯＭ−Ｄとし、この不良チャプター変数をＮｄとする。即ち、上記ステップ６３では、不良チャプター変数Ｎａ、Ｎｂ、Ｎｃ、Ｎｄを全て０にクリアする。更に、ＣＰＵ３４は、不良ＣＤ−ＲＯＭフラグを全てクリアする（Ｓ６４）。即ち、上述したようにフロントパネル１０２が開けられるのは、４枚全てのＣＤ−ＲＯＭディスクが一括して新しいものに代えられるときであるため、フロントパネル１０２の開成に連動して、ＣＤ−ＲＯＭディスクの障害に関する情報を初期化する。
【００４２】
そして、ＣＰＵ３４は、コマンダ１０側からのコマンドの受信まで待機する（Ｓ６５）。ここで、カラオケ装置による演奏時には、コマンダ１０側から該ディスクプレーヤ３０へステータス要求のコマンドが送られてくる。このステータス要求のコマンドが送れると、ステップ６５でのコマンド有りの判断がＹｅｓとなり、また、ステップ６６のステータス要求かの判断がＹｅｓとなり、ＣＰＵ３４は、例えば、ＣＤ−ＲＯＭドライブの故障、ＣＤ−ＲＯＭデイスクの障害等の情報を含むステータスをコマンダ１０側へ通知する（Ｓ６７）。ここで、このステータスが、該ディスクプレーヤ３０の再生が可能であることを示すものであるならば、コマンダ１０側から、引き続き映像再生要求コマンドが送られてくる。
【００４３】
この映像再生要求コマンドの受信により、コマンドが映像再生要求かのステップ６８における判断がＹｅｓとなり、映像の再生を開始する（Ｓ６９）。当該映像の再生処理について、このサブルーチンを示す図９を参照して説明する。
先ず、ＣＰＵ３４は、映像再生要求コマンドに続きコマンダ１０側から送られてくる曲固有のジャンルを示すジャンルデータを受信する（Ｓ８１）。ここでは、利用者により冬を主題とする演歌がコマンダ１０にリクエストされ、Ａジャンルに対応するジャンルデータが送られてきたものとする。
【００４４】
次に、映像データを再生するＣＤ−ＲＯＭドライブを選択する（Ｓ８２）。本実施例のディスクプレーヤ３０では、４台のＣＤ−ＲＯＭドライブ４４ａ、４４ｂ、４４ｃ、４４ｄの内で、不良ＣＤ−ＲＯＭフラグが立てられていないＣＤ−ＲＯＭディスクが装填されており、且つ、不良ドライブフラグの立てられていないＣＤ−ＲＯＭドライブを順次切り換えつつ、この内の２台（Ｄ１及びＤ２）を用いて映像の再生を行う。ここでは、ＣＤ−ＲＯＭドライブ４４ａをドライブＤ１として、また、ＣＤ−ＲＯＭドライブ４４ｂをドライブＤ２とし設定したものとして説明を続ける。これにあわせて、ＣＰＵ３４は、ＣＤ−ＲＯＭドライブ４４ａに装填されたＣＤ−ＲＯＭ−Ａからの読み出し用のＡジャンル用のテーブル（図８（Ｂ））と、ＣＤ−ＲＯＭドライブ４４ｂに装填されたＣＤ−ＲＯＭ−Ｂからの読み出し用のＡジャンル用のテーブル（図示せず）とを用意する。
【００４５】
ＣＰＵ３４は、ランダム数値Ｒを乱数を用いて発生する（Ｓ８３）。そして、このランダム数値Ｒが１以上で２４（１つのジャンルの再生用チャプター数）以下かを判断する（Ｓ８４）。ここで、ランダム数値Ｒが２４を越える場合には（Ｓ８４がＮｏ）、ステップ８３へ戻り再度ランダム数値Ｒを発生する。他方、ランダム数値Ｒが１≦Ｒ≦２４のときには（Ｓ８４がＹｅｓ）、図８（Ｂ）に示すＡジャンル用テーブル内に当該ランダム数値Ｒが含まれるかを判断する（Ｓ８５）。例えば、ランダム数値Ｒとして“２”を発生したなら、図８（Ｂ）のＡジャンル用テーブルには、ランダム数値“２”が不良チャプターとして除去されているので、該ステップ８５の判断がＮｏとなり、ステップ８３へ戻る。他方、ランダム数値Ｒとして“３”が発生された場合には、該該ステップ８５の判断がＹｅｓとなる。次に、図８（Ｂ）に示すＡジャンル用テーブルを参照して、ランダム数値Ｒを再生用チャプター番号Ｓに変換する（Ｓ８６）。即ち、ランダム数値Ｒとして“３”を発生したときには、チャプター番号Ａ−３を再生映像として選択する。その後、ＣＤ−ＲＯＭディスクの読み出しにおいてエラーが発生したかを判断するが（Ｓ８７）、ここでは、エラーが発生していないものとして（Ｓ８６がＮｏ）説明を続ける。
【００４６】
次に、他方のドライブ（Ｄ２：ＣＤ−ＲＯＭドライブ４４ｂ）が再生中かを判断する（Ｓ８８）。ここでは再生を開始するところであり、Ｄ２が再生中ではないので（Ｓ８８がＮｏ）、ドライブＤ１（ＣＤ−ＲＯＭドライブ４４ａ）で上述した再生用チャプター番号Ｓ（チャプター番号Ａ−３）の再生を開始する（Ｓ９２）。そして、再生ドライブを変換する（Ｓ９３）。ここでは、ドライブＤ１（ＣＤ−ＲＯＭドライブ４４ａ）からドライブＤ２（ＣＤ−ＲＯＭドライブ４４ｂ）に変換してステップ８２へ戻る。そして、次のランダム数値Ｒを発生した後（Ｓ８３）、ステップ８４〜ステップ８７を経て、他方のドライブ（現在はＤ１）が再生中かを判断する（Ｓ８８）。ここでは、ドライブＤ１が再生中なので（Ｓ８８がＹｅｓ）、コマンダ１０からの曲演奏終了コマンド（映像停止要求）を受信したか否かに基づき、映像の再生が終了したかを判断する（Ｓ８９）。ここでは再生が未だ終了していないので（Ｓ８９がＮｏ）、ステップ８７に戻り、ドライブＤ１によるチャプター番号Ａ−３の３０秒間に渡る再生完了まで待機する。そして、ドライブＤ１による再生の終了により（Ｓ８８がＮｏ）、ドライブＤ２で再生用チャプター番号Ｓの再生を開始する（Ｓ９２）。そして、再生ドライブをドライブＤ２からドライブＤ１へと変換する（Ｓ９３）。
【００４７】
このドライブＤ１、ドライブＤ２、即ち、ＣＤ−ＲＯＭドライブ４４ａとＣＤ−ＲＯＭドライブ４４ｂとによって、それぞれに装填されているＣＤ−ＲＯＭ−ＡとＣＤ−ＲＯＭ−Ｂとから各再生用チャプターを３０秒つづ交互に再生していく。そして、カラオケ装置の曲演奏が終わり、コマンダ１０から曲演奏終了コマンドが送られると、再生終了かのステップ８９の判断がＹｅｓとなり、ＣＰＵ３４は、ドライブＤ１、Ｄ２の再生を停止する（Ｓ９０）。以上説明したようにして冬を主題とする演歌がリクエストされた場合には、当該演歌に対応させて作成されたＡジャンルに属する各再生用チャプターがランダムに選択され、背景画として順次再生される。
【００４８】
次に、ＣＤ−ＲＯＭドライブにて映像データ再生中にエラーが発生した場合の処理について更に説明する。
ＣＤ−ＲＯＭドライブ４４ａ（ドライブＤ１）で読み出し中にエラーが発生すると（Ｓ８７がＹｅｓ）、ＣＰＵ３４は、このエラーがＣＤ−ＲＯＭドライブ４４ａに起因するものなのか、或いは、ＣＤ−ＲＯＭドライブ４４ａに装填されているＣＤ−ＲＯＭ−Ａに起因するのかを、ＣＤ−ＲＯＭドライブ４４ａ側からの制御信号に基づき判断する（Ｓ９４）。ここで、ＣＤ−ＲＯＭドライブ４４ａに障害が発生したときには（Ｓ９４がＹｅｓ）、該ＣＤ−ＲＯＭドライブ４４ａに対して不良ドライブフラグを立て、これを図２に示すＮＶＲＡＭ４０に書き込み、該ＣＤ−ＲＯＭドライブ４４ａの使用を禁止し（Ｓ９５）、ステップ８２へ戻る。以後は、ステップ８２において該ＣＤ−ＲＯＭドライブ４４ａが選択されなくなる。
【００４９】
他方、上記ステップ９４において、エラーの原因がＣＤ−ＲＯＭドライブ４４ａに装填されているＣＤ−ＲＯＭ−Ａにあると判断した場合には（Ｓ９４がＮｏ）、即ち、使用中にＣＤ−ＲＯＭ−Ａに傷が付き、当該傷付いた箇所の読み出しが行えなくなっているときには、上述したＣＤ−ＲＯＭ−Ａの不良チャプター変数Ｎａが２０以上かを判断する（Ｓ９６）。ここで、不良チャプター変数Ｎａが２０未満の場合（Ｓ９６がＮｏ）には、当該不良チャプター番号（ここでは、再生用チャプター番号Ａ−３）を図８（Ｂ）に示したＡジャンル用テーブルから除去し、図８（Ｃ）に示すように該再生用チャプターの使用を禁止する（Ｓ９８）。これと共に、更に当該不良チャプター番号Ａ−３に相当するアドレスをＮＶＲＡＭ４０の不良データリストに書き込む。以後は、ステップ８５において当該再生用チャプター番号Ａ−３が選択されなくなり、この再生用チャプターにおけるエラーが発生しなくなる。
【００５０】
また、このＣＤ−ＲＯＭディスクが交換されることなく長期にわたって使用され続け、不良チャプター変数Ｎａの数が累積し、上述したステップ９６において、不良チャプター変数Ｎａが２０以上であると判断された場合（Ｓ９６がＹｅｓ）には、該ＣＤ−ＲＯＭ−Ａに対して不良ＣＤ−ＲＯＭフラグを立て、これをＮＶＲＡＭ４０に書き込み、該ＣＤ−ＲＯＭ−Ａを装填しているＣＤ−ＲＯＭドライブ４４ａでの読み出しを禁止し（Ｓ９７）、ステップ８２へ戻る。以後は、ステップ８２においてＣＤ−ＲＯＭドライブ４４ａが選択されることがなくなる。
【００５１】
以上記述したように、本実施例のディスクプレーヤ３０においては、ＣＤ−ＲＯＭディスクに傷が付き、背景画が再生できないときには、当該傷付いた部分のチャプターの読み出しを禁じることにより、以降のカラオケ演奏中に背景画が以降消えることを防ぐ。また、傷が所定数（２０）以上になったＣＤ−ＲＯＭディスクは、ＣＤ−ＲＯＭディスク自体の使用を禁止することで、以降のエラーの発生を未然に防ぐ。同様に、ＣＤ−ＲＯＭドライブに故障が発生した場合も、使用を禁止して以後のエラーの発生を防ぐ。
【００５２】
また、この実施例では、ＣＤ−ＲＯＭディスクの傷についてのリストと、ＣＤ−ＲＯＭディスク自体の使用を禁止する不良ＣＤ−ＲＯＭフラグと、故障したＣＤ−ＲＯＭドライブの使用を禁止する不良ドライブフラグとを不揮発性のＮＶＲＡＭ４０に保持している。このため、例えば、カラオケ店の営業終了により該ディスクプレーヤ３０の電源がオフにされた後に、翌日の開店時に再び電源がオンにされたとき、図７を参照して上述した初期設定処理によりＣＰＵ３４は、電源がオフされる以前におけるＣＤ−ＲＯＭディスク、ＣＤ−ＲＯＭドライブの障害状態を把握できる。このため当該障害によって映像再生上のエラーが再発することがない。
【００５３】
また、従来のカラオケ装置では、ディスクプレーヤ３０のＣＤ−ＲＯＭディスクを交換する際に、上記ＣＤ−ＲＯＭディスクの障害に関する情報を初期化し忘れると、以前の障害情報に基づきＣＤ−ＲＯＭディスクの読み出しが制限され続けるため、画像データの大部分が使用されないという事態が生じていた。これに対して、本実施例のディスクプレーヤ３０では、上述したようにフロントパネル１０２が開けられたときに、ＣＤ−ＲＯＭディスクの障害に関する情報（ＣＤ−ＲＯＭディスクの傷のリスト及び不良ＣＤ−ＲＯＭフラグ）を初期化するため、フロントパネル１０２が開けられ、ＣＤ−ＲＯＭディスクの交換が成されたときには、保守作業者が何ら操作しなくとも、この情報を自動的に初期化し、上記事態を確実に防ぐ。同時にこの実施例のディスクプレーヤ３０では、ＣＤ−ＲＯＭドライブの障害に関する情報（不良ドライブフラグ）については、このフロントパネル１０２を開成に連動して初期化しないことにより、障害のあるＣＤ−ＲＯＭドライブを再び作動させないようにしてエラーの発生を防いでいる。
【００５４】
以上説明した実施例では、ＣＤ−ＲＯＭディスクに５種類の再生用チャプターからなる編集動画群を保持し、この再生用チャプターをディスクプレーヤ３０がランダムに選択して順次読み出す例を挙げた。しかし、本発明は、１枚のビデオディスクに連続して映像データを収める方式のカラオケ装置にも好適に適用することができる。更に、上記実施例では、１台のＣＤ−ＲＯＭドライブに１枚のＣＤ−ＲＯＭディスクを固定して画像の読み出しを行う例を挙げたが、チェンジャを備え１台のＣＤ−ＲＯＭドライブで複数のＣＤ−ＲＯＭディスクを操作する方式にも上述した構成を適用できる。
【００５５】
また、上記実施例では、通信カラオケ装置に用いる動画再生装置を例に挙げて説明したが、本発明は、通信方式ではないカラオケ装置にも好適に用いることができる。また更に、記憶媒体としてＣＤ−ＲＯＭディスクを用いる例を挙げたが、磁気テープ等の他の記憶媒体を用いるカラオケ装置にも好適に利用できる。更に、この実施例では、ディスクプレーヤ３０のフロントパネル１０２の開成に連動して障害情報を初期化したが、このフロントパネル１０２の開成の代わりに、ＣＤ−ＲＯＭディスク交換の際に行われる他の動作、例えば、トレイ１１０の引出し等に連動させて、当該トレイ１１０に載置されているＣＤ−ＲＯＭディスクに関する障害情報を初期化することも可能である。
【００５６】
また更に、上述した実施例では、１台のコマンダ１０と一台のディスクプレーヤ３０とによって構成されたカラオケ装置を例に挙げたが、複数のコマンダと複数のディスクプレーヤとによって構成される集中管理方式のカラオケ装置においても本発明を適用できることは言うもでもない。
【００５７】
【効果】
以上説明したことから明らかなように、本発明の動画再生装置では、電源が断とされていも、不揮発性のＮＶＲＡＭにて不良チャプターのアドレスと不良ＣＤ−ＲＯＭフラグとを保持しているため、電源が入れ直された際にも、この不良チャプター或いは不良ＣＤ−ＲＯＭディスクによるエラーが再度発生することがなくなる。このため、ＣＤ−ＲＯＭディスクに傷が生じても、カラオケ演奏中に背景画が消えることが最小となる。
【００５８】
また、フロントパネルが開けられ、ＣＤ−ＲＯＭディスクが交換される際に、不良チャプターのアドレスと不良ＣＤ−ＲＯＭフラグとの記憶内容が自動的に消去されるため、交換前のＣＤ−ＲＯＭディスクのエラーに関する情報（即ち、不良チャプター及び不良ＣＤ−ＲＯＭディスクフラグ）をクリアする必要がなくなる。他方、ＣＤ−ＲＯＭディスクが交換されても、ＣＤ−ＲＯＭドライブの故障についての情報はクリアされないため、当該故障の発生しているＣＤ−ＲＯＭドライブによってエラーが再発することがない。
【図面の簡単な説明】
【図１】本発明の１実施例に係る動画再生装置を適用したカラオケ装置の電気的構成を示すブロック図である。
【図２】図１に示すディスクプレーヤの電気的構成を示すブロック図である。
【図３】フロントパネルの閉じられた状態のディスクプレーヤの斜視図である。
【図４】フロントパネルの開けられた状態のディスクプレーヤの斜視図である。
【図５】コマンダとディスクプレーヤとの間の信号のやり取りを示す説明図である。
【図６】図２に示すディスクプレーヤのＣＰＵによるメインルーチン処理のフローチャートである。
【図７】図２に示すディスクプレーヤのＣＰＵによるサブルーチン処理のフローチャートである。
【図８】ランダム数値Ｒを再生用チャプター番号Ｓに対応させるためのテーブルを示す説明図である。
【図９】図２に示すディスクプレーヤのＣＰＵによるサブルーチン処理のフローチャートである。
【符号の説明】
１０  コマンダ
３０  ディスクプレーヤ
３４  ＣＰＵ
４０  ＮＶＲＡＭ
４４ａ〜４４ｄ  ＣＤ−ＲＯＭドライブ
４６  ビデオデコーダ
４８  ＮＴＳＣコンパレータ
１０２  フロントパネル
【図１】
0003593175.tif 000002
【図２】
0003593175.tif 000003
【図３】
0003593175.tif 000004
【図４】
0003593175.tif 000005
【図５】
0003593175.tif 000006
【図６】
0003593175.tif 000007
【図７】
0003593175.tif 000008
【図８】
0003593175.tif 000009
【図９】
0003593175.tif 000010